【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
水性フィードストリームを処理するためのプロセスであって、
≧２０ｗｔ％のドロー溶質濃度を有する水性ドロー溶液を用いる正浸透を含み、前記ドロー溶質は、イオン化したトリメチルアミンと対イオンを含み、
前記フィードストリームが、
ｉ）≧５ｗｔ％の総溶解固形分を含む、
ｉｉ）≦２０℃の温度である、
ｉｉｉ）≧３０℃から≦６０℃までの間の温度である、
ｉｖ）酸性のｐＨ又は塩基性のｐＨを有する、
ｖ）有機分を含む、
ｖｉ）懸濁物質を含む、又は
ｖｉｉ）前記ｉ）〜ｖｉ）の２つ以上の任意の組み合わせである、
プロセス。
【請求項２】
前記正浸透が、
ａ．水を選択的に透過させる半透膜の一方の側部に前記フィードストリームを導入することと、
ｂ．前記半透膜の他方の側部に前記ドロー溶液を導入することと、
ｃ．濃フィードストリーム及び希薄ドロー溶液を形成するべく水がフィードストリームから半透膜を通してドロー溶液へ流れることを可能にすることと、
を含む、請求項１に記載のプロセス。
【請求項３】
ａ．前記希薄ドロー溶液から前記ドロー溶質を分離することと、
ｂ．前記分離されたドロー溶質から前記濃ドロー溶液を再構成することと、
をさらに含む、請求項２に記載のプロセス。
【請求項４】
前記プロセスが、
ｉ）閉じたプロセス、
ｉｉ）継続的にサイクルされるプロセス、又は
ｉｉｉ）これらの組み合わせ、
である、請求項１〜請求項３のいずれか一項に記載のプロセス。
【請求項５】
前記希薄ドロー溶液から前記ドロー溶質を分離することが、逆浸透、揮発、加熱、フラッシングガス、真空又は部分真空、攪拌、又はこれらの任意の組み合わせを含むか、あるいは前記濃ドロー溶液を再構成することが、
ａ．トリメチルアミンの水性溶液にイオン化トリガを導入すること、
ｂ．イオン化トリガの水性溶液にトリメチルアミンを導入すること、
ｃ．水性溶液にトリメチルアミンとイオン化トリガを同時に導入すること、又は
ｄ．これらの任意の組み合わせ、
を含む、請求項３に記載のプロセス。
【請求項６】
（ｉ）前記フィードストリームが、５から３０ｗｔ％までの間の総溶解固形分、又は代替的に５から２５ｗｔ％までの間の総溶解固形分、又は代替的に５から２０ｗｔ％までの間の総溶解固形分、又は代替的に５から１５ｗｔ％までの間の総溶解固形分、又は代替的に５から１０ｗｔ％までの間の総溶解固形分、又は代替的に６から１０ｗｔ％までの間の総溶解固形分を含み、且つ 前記総溶解固形分が、金属酸化物、鉱物、一価のイオン、二価のイオン、三価のイオン、又はこれらの任意の組み合わせを含み得る、
（ｉｉ）前記フィードストリームが、０から１５℃までの間、又は代替的に０から１０℃までの間、又は代替的に０から５℃までの間、又は代替的に３から５℃までの間の温度である、
（ｉｉｉ）前記フィードストリームが、３０から６０℃までの間、又は代替的に３０〜５０℃、又は代替的に３０〜４０℃、又は代替的に３０〜３５℃の温度である、
（ｉｖ）前記フィードストリームが、ｐＨ≦６、又は代替的に≦５、又は代替的に≦３を有する、
（ｖ）前記フィードストリームが、ｐＨ≧８、又は代替的に≧９、又は代替的に≧１１を有する、あるいは
（ｖｉ）懸濁物質を含む、
請求項１〜請求項５のいずれか一項に記載のプロセス。
【請求項７】
前記フィードストリームの有機分が、懸濁又は可溶化した有機化合物、炭水化物、多糖類、タンパク質、藻類、ウィルス、植物質、動物質、又はこれらの任意の組み合わせを含む、請求項１〜請求項６のいずれか一項に記載のプロセス。
【請求項８】
前記フィードストリームが、硬水、プロセス水、随伴水、フローバック水、廃水、又はこれらの任意の組み合わせである、請求項１〜請求項７のいずれか一項に記載のプロセス。
【請求項９】
前記ドロー溶液が、≧３０ｗｔ％から飽和までの間、又は代替的に３０から７０ｗｔ％までの間、又は代替的に３０から６０ｗｔ％までの間、又は代替的に３０から５０ｗｔ％までの間、又は代替的に３０から４０ｗｔ％までの間のドロー溶質濃度を有する、請求項１〜請求項８のいずれか一項に記載のプロセス。
【請求項１０】
前記ドロー溶液が、３０から４０ｗｔ％までの間、又は代替的に６０から７０ｗｔ％までの間のドロー溶質濃度を有する、請求項９に記載のプロセス。
【請求項１１】
前記フィードストリームが、≧５ｗｔ％の総溶解固形分と、（ｉ）有機分、（ｉｉ）懸濁物質、又は（ｉｉｉ）有機分と懸濁物質との両方を含む、複合フィードストリームである、請求項１〜請求項１０のいずれか一項に記載のプロセス。
【請求項１２】
正浸透システムであって、
≧２０ｗｔ％のドロー溶質濃度を有する水性ドロー溶液と、前記ドロー溶質は、イオン化したトリメチルアミンと対イオンを含み、
少なくとも１つの正浸透要素と、
を備え、前記少なくとも１つの正浸透要素は、
第１の側部及び第２の側部を有する、水を選択的に透過させる半透膜と、
フィードストリームを膜の第１の側部と流体連通させるための少なくとも１つのポートと、
ドロー溶液を膜の第２の側部と流体連通させるための少なくとも１つのポートと、
を備え、水が、濃フィードストリーム及び希釈されたドロー溶液を形成するべくフィードストリームから半透膜を通してドロー溶液へ流れる、
システム。
【請求項１３】
ａ．希薄ドロー溶液からドロー溶質又はイオン化していない形態のドロー溶質を分離するための手段と、
ｂ．分離されたドロー溶質又はイオン化していない形態のドロー溶質からドロー溶液を再構成するための手段と、
を備える、ドロー溶液を再生させるためのシステムをさらに備える、請求項１２に記載の正浸透システム。
【請求項１４】
前記システムが、
ｉ）閉じている、
ｉｉ）継続的にサイクルされる、又は
ｉｉｉ）これらの組み合わせ、
である、請求項１２又は請求項１３に記載の正浸透システム。
【請求項１５】
前記希薄ドロー溶液からドロー溶質を分離するための手段が、逆浸透システム、揮発、加熱、フラッシングガス、真空又は部分真空、攪拌、又はこれらの任意の組み合わせである、あるいは前記分離されたドロー溶質又はイオン化していない形態のドロー溶質からドロー溶液を再構成するための手段が、
ａ．トリメチルアミンの水性溶液にイオン化トリガを導入するための手段、
ｂ．イオン化トリガの水性溶液にトリメチルアミンを導入するための手段、
ｃ．水性溶液にトリメチルアミンとイオン化トリガを同時に導入するための手段、又は
ｄ．これらの任意の組み合わせ、
を含む、請求項１３に記載の正浸透システム。
【請求項１６】
（ｉ）前記フィードストリームが、５から３０ｗｔ％までの間の総溶解固形分、又は代替的に５から２５ｗｔ％までの間の総溶解固形分、又は代替的に５から２０ｗｔ％までの間の総溶解固形分、又は代替的に５から１５ｗｔ％までの間の総溶解固形分、又は代替的に５から１０ｗｔ％までの間、又は代替的に６から１０ｗｔ％までの間の総溶解固形分を含み、且つ前記総溶解固形分が、金属酸化物、鉱物、一価のイオン、二価のイオン、三価のイオン、又はこれらの組み合わせを含む、
（ｉｉ）前記フィードストリームが、０から１５℃までの間、又は代替的に０から１０℃までの間、又は代替的に０から５℃までの間、又は代替的に３から５℃までの間の温度である、
（ｉｉｉ）前記フィードストリームが、３０から６０℃までの間、又は代替的に３０〜５０℃、又は代替的に３０〜４０℃、又は代替的に３０〜３５℃の温度である、
（ｉｖ）前記フィードストリームが、ｐＨ≦６、又は代替的に≦５、又は代替的に≦３を有する、
（ｖ）前記フィードストリームが、ｐＨ≧８、又は代替的に≧９、又は代替的に≧１１を有する、
（ｖｉ）前記フィードストリームが有機分を含み、前記有機分が、懸濁又は可溶化した有機化合物、炭水化物、多糖類、タンパク質、藻類、ウィルス、植物質、動物質、又はこれらの任意の組み合わせを含む、あるいは
（ｖｉｉ）前記フィードストリームが懸濁物質を含む、
請求項１２〜請求項１５のいずれか一項に記載の正浸透システム。
【請求項１７】
前記フィードストリームが、硬水、プロセス水、随伴水、フローバック水、廃水、又はこれらの任意の組み合わせである、請求項１２〜請求項１６のいずれか一項に記載の正浸透システム。
【請求項１８】
前記ドロー溶液が、≧３０ｗｔ％から飽和までの間、又は代替的に３０から７０ｗｔ％までの間、又は代替的に３０から６０ｗｔ％までの間、又は代替的に３０から５０ｗｔ％までの間、又は代替的に３０から４０ｗｔ％までの間のドロー溶質濃度を有する、請求項１２〜請求項１７のいずれか一項に記載の正浸透システム。
【請求項１９】
前記ドロー溶液が、３０から４０ｗｔ％までの間、又は代替的に６０から７０ｗｔ％までの間のドロー溶質濃度を有する、請求項１８に記載の正浸透システム。
【請求項２０】
前記フィードストリームが、≧５ｗｔ％の総溶解固形分と、（ｉ）有機分、（ｉｉ）懸濁物質、又は（ｉｉｉ）有機分と懸濁物質との両方を含む、複合フィードストリームである、請求項１２〜請求項１９のいずれか一項に記載の正浸透システム。
【請求項２１】
正浸透プロセスのためのドロー溶液であって、
ａ．水と、
ｂ．≧２０ｗｔ％の濃度のイオン化したトリメチルアミンと、
ｃ．イオン化したトリメチルアミンの対イオンとして作用するのに適した濃度の陰イオン種と、
を含む、ドロー溶液。
【請求項２２】
前記イオン化したトリメチルアミンが、≧３０ｗｔ％から飽和までの間、又は代替的に３０から７０ｗｔ％までの間、又は代替的に３０から６０ｗｔ％までの間、又は代替的に３０から５０ｗｔ％までの間、又は代替的に３０から４０ｗｔ％までの間の濃度で存在し、
前記陰イオン種が、炭酸塩、重炭酸塩、又はこれらの組み合わせであり得、前記陰イオン種がＣＯ２ガスであり得る、請求項２１に記載のドロー溶液。